(57)【要約】【課題】利用者に不公平感を与えることなく、音声通話の継続的な利用のインセンティブを与えることができる、くじ付き通話サービスシステムを提供する。【解決手段】交換機は、回線を接続する度に当たり／外れ決定部を起動する（Ｓ３０１）。当たりが出ると（Ｓ３０２）、通話料金を減額又は無料にする（Ｓ３０３）。また、ショートメッセージシステムを介して、通話料が減額され又は無料にされたことを発信者に通知する（Ｓ３０４）。【選択図】図３
2005150965.tif 000002
【特許請求の範囲】
【請求項１】
携帯電話システムを利用するくじ付き通話サービスシステムであって、
交換機が所定の頻度で音声通話の通話料金を減額又は無料にするようにしたことを特徴とするくじ付き通話サービスシステム。
【請求項２】
前記所定の頻度に代えてあるいは前記所定の頻度とともに電話番号の末尾の数字に基づいて前記通話料金を減額又は無料にするようにしたことを特徴とする請求項１に記載のくじ付き通話サービスシステム。
【請求項３】
前記交換機に接続された外部端末より、前記所定の頻度及び／又は電話番号の末尾数字の変更を可能にしたことを特徴とする請求項１又は２に記載のくじ付き通話サービスシステム。
【請求項４】
ショートメッセージシステムを用いて前記音声通話の発信元に前記減額又は無料の通知を行うようにしたことを特徴とする請求項１、２又は３に記載のくじ付き通話サービスシステム。
【請求項５】
複数の無線基地局と、該複数の無線基地局に接続された交換機と、前記複数の無線基地局及び前記交換機に接続されたショートメッセージシステムとを備えた携帯電話システムを利用するくじ付き通話サービスシステムであって、
前記交換機に、くじに当たる条件を記憶するメモリと、通話回線を接続する度に前記メモリに設定された前記くじに当たる条件に基づいて当たり／外れを決定する当たり／外れ決定部と、該当たり／外れ決定部が当たりと決定したときに課金制御部へ通知する当たり通知部と、前記通話回線の発信元に関する情報を前記ショートメッセージシステムに通知する発信元情報通知部と、を設け、
くじに当たった通話回線に関する通話料金を減額又は無料にするとともに、前記通話回線の発信元にくじに当たったことをショートメッセージにより通知するようにしたことを特徴とするくじ付き通話サービスシステム。
【請求項６】
前記交換機に接続された外部端末をさらに有し、該外部端末から前記くじに当たる条件を変更できるようにしたことを特徴とする請求項５に記載のくじ付き通話サービスシステム。
【請求項７】
前記くじに当たる条件が、前記交換機における通話回線の接続回数であることを特徴とする請求項６に記載のくじ付き通話サービスシステム。
【請求項８】
前記くじに当たる条件が、発信元の電話番号の末尾数字に基づいていることを特徴とする請求項６に記載のくじ付き通話サービスシステム。
【請求項９】
通話回線を接続する度に、メモリに格納されたくじに当たる条件を参照して当たり／外れを決定し、当たりの場合に前記通話回線についての通話料金を減額又は無料にする処理を行う交換機。
【請求項１０】
通話回線を接続する度に、メモリに格納されたくじに当たる条件を参照して当たり／外れを決定し、当たりの場合に前記通話回線についての通話料金を減額又は無料にする処理を交換機に行わせる交換機用プログラム。
【発明の詳細な説明】
【技術分野】
【０００１】
本発明は、携帯電話システムに用いられるくじ付き通話サービスシステムに関する。
【背景技術】
【０００２】
従来の携帯電話システムに用いられるくじ付き通話サービスシステムは、携帯電話網の交換機に接続された懸賞判断装置を備えている。そして、この懸賞判断装置は、予め設定された時刻又は時間帯に、交換機によって通話／データ通信回線が接続されたとき、当選と判断するよう構成されている。懸賞判断装置は、また、当選判断を行ったときに、交換機等を通じて当選者の携帯電話機に対して当選を通知するよう構成されている（例えば、特許文献１参照。）。
【特許文献１】特開２００３−８７４４号公報（要約等）
【発明の開示】
【発明が解決しようとする課題】
【０００３】
近年、携帯電話機を利用したｅメールの普及により、携帯電話網における音声通話トラヒックが減少する傾向にある。その結果、通信事業者は、音声通話による利用料金収入が減少し、音声通話を実現するための施設・設備を維持管理し、また拡充するための費用確保が困難になるおそれが出てきた。そこで、音声通話によるトラヒックを増加させる何らかの対策が望まれている。
【０００４】
従来の携帯電話システムに用いられるくじ付き通話サービスシステムは、通話とデータ通信とを区別することなく、双方をくじの対象としているため、必ずしも音声通話によるトラヒックを増加させることができるものではないという問題点がある。
【０００５】
また、従来のシステムは、所定の時刻又は時間帯に回線が接続されたときに当選と判断するものであるため、利用者の生活スタイル（利用時間帯）によって当選確立が異なり、不公平であるという問題点がある。
【０００６】
さらに、従来のシステムは、賞金を銀行振込する等、高額の賞金を想定しているため、当選確率を低くせざるを得ず、一時的な利用者獲得は可能かもしれないが、継続的なトラヒック増加には結びつかないという問題点もある。
【０００７】
本願発明は、以上のような問題点を鑑みてなされたものであって、利用者に不公平感を与えることなく、音声通話の継続的な利用のインセンティブを与えることができるくじ付き通話サービスシステムを提供することを目的とする。
【課題を解決するための手段】
【０００８】
本発明によれば、携帯電話システムを利用するくじ付き通話サービスシステムであって、交換機が所定の頻度で音声通話の通話料金を減額又は無料にするようにしたことを特徴とするくじ付き通話サービスシステムが得られる。
【０００９】
このくじ付き通話サービスシステムでは、前記所定の頻度に代えてあるいは前記所定の頻度とともに電話番号の末尾の数字に基づいて前記通話料金を減額又は無料にするようにすることもできる。
【００１０】
また、本発明によれば、複数の無線基地局と、該複数の無線基地局に接続された交換機と、前記複数の無線基地局及び前記交換機に接続されたショートメッセージシステムとを備えた携帯電話システムを利用するくじ付き通話サービスシステムであって、前記交換機に、くじに当たる条件を記憶するメモリと、通話回線を接続する度に前記メモリに設定された前記くじに当たる条件に基づいて当たり／外れを決定する当たり／外れ決定部と、該当たり／外れ決定部が当たりと決定したときに課金制御部へ通知する当たり通知部と、前記通話回線の発信元に関する情報を前記ショートメッセージシステムに通知する発信元情報通知部と、を設け、くじに当たった通話回線に関する通話料金を減額又は無料にするとともに、前記通話回線の発信元にくじに当たったことをショートメッセージにより通知するようにしたことを特徴とするくじ付き通話サービスシステムが得られる。
【００１１】
さらに、本発明によれば、通話回線を接続する度に、メモリに格納されたくじに当たる条件を参照して当たり／外れを決定し、当たりの場合に前記通話回線についての通話料金を減額又は無料にする処理を行う交換機が得られる。
【００１２】
さらにまた、本発明によれは、通話回線を接続する度に、メモリに格納されたくじに当たる条件を参照して当たり／外れを決定し、当たりの場合に前記通話回線についての通話料金を減額又は無料にする処理を交換機に行わせる交換機用プログラムが得られる。
【発明の効果】
【００１３】
本発明によれば、通話回線が接続される度に、当たり／外れを決定し、当たりの場合にその通話料を減額又は無料とするようにしたことで、多額の賞金を与える場合に比べて当たる確率を高くできる。その結果、利用者に不公平感を与えることなく、音声通話による利用回数の増加と継続的利用のインセンティブを与えることができ、音声通話によるトラヒックの増加を実現できる。
【発明を実施するための最良の形態】
【００１４】
以下、図面を参照して本発明の実施の形態について詳細に説明する。
【００１５】
図１に本発明の一実施の形態に係るくじ付き通話サービスシステムを示す。このシステムは、利用者の携帯電話機１０，１１と無線で交信可能な複数の無線基地局２０，２１と、これら複数の無線基地局２０，２１に接続され交換接続動作を行う交換機３０と、無線基地局２０，２１及び交換機３０に接続されたショートメッセージシステム４０と、交換機３０に接続された遠隔端末（パーソナルコンピュータ等）５０とを備えている。なお、図１からも理解される通り、このくじ付き通話サービスシステムは、実際には、携帯電話システムである。
【００１６】
交換機３０は、図２に示すように、通話路スイッチ３０１と、それを監視・制御する制御部３０２と、制御に必要な情報（プログラムを含む）を記憶するメモリ３０３、課金を行う課金制御部３０４、及び入出力部３０５を有している。
【００１７】
交換機３０の制御部３０２は、通話回線を接続する度にくじの当たり／外れを決定する当たり／外れ決定部３０６と、当たりの決定が成されたときに課金制御部３０４へ通知する当たり通知部３０７と、同じく当たりの決定が成されたときに発信者に関する情報をショートメッセージシステム４０へ通知する発信者通知部３０８とを有している。なお、制御部３０２は、ソフトウェア（プログラム）により実現されるものである。
【００１８】
次に、このくじ付き電話サービスシステムの動作について、図１及び図２に加え図３を参照して説明する。
【００１９】
まず、遠隔端末５０より、くじに当たる条件を予め設定する（矢印Ａ）。くじに当たる条件は、例えば、交換機３０における通話回線の接続回数である。このように条件を定めれば、通話回線が所定数（例えば１００コール）接続される毎に１回当たりが出る。つまり、所定の頻度で当たりが出る。それゆえ、利用者に不公平感が生じ難い。また、発信元の携帯電話機の電話番号の末尾の数字に基づいて当たりを決定するようにしてもよい。この場合、利用者にとって不公平とならないように、時間等による条件を定める必要がある。また、通話回線の接続回数と組み合わせて、当たりの条件を決めてもよい。また、実施日時等を限定してもよい。遠隔端末５０より設定されたくじに当たる条件は、交換機３０のメモリに格納される。
【００２０】
交換機３０の制御部３０２は、例えば携帯電話機１０からの発呼（矢印Ｂ）を受けて、例えば携帯電話機１１との間の通話回線（矢印Ｃ）を接続する。そして、制御部３０２は、このように通話回線を接続する度に、当たり／外れ決定部３０６を起動する（ステップＳ３０１）。当たり／外れ決定部３０６はメモリ３０３に格納されているくじに当たる条件を参照し、当たり／外れを決定する（ステップＳ３０２）。ここで、当たり／外れ決定部３０６は、交換機３０における通話回線の接続回数をカウントしている場合には、そのカウント値を＋１する。外れの場合、当たり／外れ決定部３０６は、その動作を終了する。一方当たりが出た場合は、そのことを当たり通知部３０７及び発信者通知部３０８へ通知する（ステップＳ３０３）。
【００２１】
当たり通知部３０７は、当たりの対象となった通話回線の課金を減額又は無料とするように、課金制御部３０４に対して通知する。課金制御部３０４は、当たり通知部３０７からの通知に従い、当たりの対象となった通話回線の課金を減額又は無料とする処理を行う（ステップＳ３０４）。
【００２２】
発信者通知部３０８は、当たりの対象となった通話回線の発信者に関する情報を当たりを示す情報とともにショートメッセージシステム４０に通知する（矢印Ｄ）。ショートメッセージシステム４０は、発信者通知部３０８から通知された発信者、例えば携帯電話機１０に対して、現在の（その時点で最後の）通話料金が減額又は無料となったことを、ショートメッセージにて直ちに通知する（矢印Ｅ、ステップＳ３０５）。
【００２３】
以上のようにして、本実施の形態に係るくじ付き通話サービスシステムは、利用者に対し、通話料の減額又は無料化といった利益を与えるが、賞金や賞品に比べればその額が小さい。それゆえ、当たりの確率を多くできるので、利用者に不公平感を抱かせることがない。予って、音声通話の継続的な利用のインセンティブを与えることができる。
【図面の簡単な説明】
【００２４】
【図１】本発明の一実施の形態に係るくじ付き通話サービスシステムの構成図である。
【図２】図１のくじ付き通話サービスシステムに含まれる交換機の内部構成を示すブロック図である。
【図３】図２の交換機におけるくじに関する動作を説明するためのフローチャートである。
【符号の説明】
【００２５】
１０，１１    携帯電話機
２０，２１    無線基地局
３０    交換機
４０    ショートメッセージシステム
５０    遠隔端末
３０１    通話路スイッチ
３０２    制御部
３０３    メモリ
３０４    課金制御部
３０５    入出力部
３０６    当たり／外れ決定部
３０７    当たり通知部
３０８    発信者通知部
【図１】
2005150965.tif 000003
【図２】
2005150965.tif 000004
【図３】
2005150965.tif 000005